(57)【要約】 【課題】  不織布製通気フィルターの片面の全部又は一部に粘着剤を塗布する方法であって、粘着剤を塗布した部位の濾過性能が減殺されにくい方法を提供する。【解決手段】  この方法は、以下の工程を具える。構成繊維が集積されてなり、構成繊維相互間に間隙が形成されてなる不織布製通気フィルター３を準備する工程、ダイ塗布装置のダイヘッド１に設けられたスリット２に、加熱により軟化又は溶融させた流動状態の粘着剤４を供給する工程及びスリット２の出口に、無加圧の状態で不織布製通気フィルター３の片面を接触させながら搬送する工程よりなる。この方法により、不織布製通気フィルターの片面に存在する構成繊維表面にのみ粘着剤を付与しうる。得られた不織布製通気フィルターは住宅の換気口、レンジフードの吸気口及びエアコンの吸気口に貼着して用いられる。【選択図】  図１
2019115868.tif 000002
【特許請求の範囲】
【請求項１】
構成繊維が集積されてなり、該構成繊維相互間に間隙が形成されてなる不織布製通気フィルターを準備する工程、
ダイ塗布装置のダイヘッドに設けられたスリットに流動状態の粘着剤を供給する工程及び
前記スリットの出口に、実質的に無加圧の状態で前記不織布製通気フィルターの片面を接触させながら搬送する工程により、該片面に存在する構成繊維表面にのみ粘着剤を付与することを特徴とする不織布製通気フィルターへの粘着剤の塗布方法。
【請求項２】
粘着剤を加熱し、軟化又は溶融させて流動状態とする請求項１記載の不織布製通気フィルターへの粘着剤の塗布方法。
【請求項３】
スリットの幅は０．１〜０．５ｍｍである請求項１記載の不織布製通気フィルターへの粘着剤の塗布方法。
【請求項４】
不織布製通気フィルターは、ポリエステル短繊維を構成繊維の主体とし、ポリエステル短繊維相互間の交点がリン系難燃剤を含むアクリル系接着剤で接着されてなるものである請求項１記載の不織布製通気フィルターへの粘着剤の塗布方法。
【請求項５】
不織布製通気フィルターの目付は２０ｇ／ｍ2〜３００ｇ／ｍ2で、該不織布製通気フィルターへの粘着剤の塗布量は３〜３０ｇ／ｍ2である請求項１記載の不織布製通気フィルターへの粘着剤の塗布方法。
【発明の詳細な説明】
【技術分野】
【０００１】
本発明は、住宅の換気口や、換気扇の排気口又は吸気口に貼着して使用される不織布製通気フィルターに、貼着のための粘着剤を塗布する方法に関するものである。
【背景技術】
【０００２】
従来より、住宅の換気口等に貼着して使用される不織布製通気フィルターの片面（裏面）の一部には、貼着のための粘着剤が塗布されている。そして、不織布製通気フィルターに粘着剤を塗布する方法としては、一般的に転写法が用いられている。すなわち、離型材表面の所定の部位に粘着剤層を形成した後に、不織布製通気フィルターを粘着剤層に接着させる方法で、離型材／粘着剤層／不織布製通気フィルターの三層構造体とし、換気口等に貼着する際に離型材を剥離して使用されている。
【０００３】
かかる方法で得られた粘着剤層は非通気性であるため、粘着剤層を設けた部位の不織布製通気フィルターの濾過性能が減殺されることになる。従来は、濾過性能が減殺されることを当然のこととし、むしろ、濾過性能の減殺を利用した製品が開発されている。たとえば、特許文献１には、粘着剤層が設けられていない不織布製通気フィルターの部位には、汚れが付着し、その部分が黒く変色していくが、一方、粘着剤層が設けられている不織布製通気フィルターの部位には汚れが付着しにくくなるため、その部分が白く浮き上がり、不織布製通気フィルターの貼着替え時が示されることが記載されている（特許文献１、段落０００３）。しかしながら、粘着剤層が設けられている不織布製通気フィルターの濾過性能が減殺されると、フィルターの寿命は短くなる。
【０００４】
【特許文献１】特開２０１７−１７６９４０号公報（段落０００３）
【発明の概要】
【発明が解決しようとする課題】
【０００５】
本発明の課題は、不織布製通気フィルターの片面の全部又は一部に粘着剤を塗布する方法であって、粘着剤を塗布した部位の濾過性能が減殺されにくい方法を提供することにある。
【課題を解決するための手段】
【０００６】
本発明は、不織布製通気フィルターの表面が平坦ではなく、構成繊維の存在する箇所と存在しない箇所があることに着目し、特定の塗布方法を採用することによって、上記課題を解決したものである。すなわち、本発明は、構成繊維が集積されてなり、該構成繊維相互間に間隙が形成されてなる不織布製通気フィルターを準備する工程、ダイ塗布装置のダイヘッドのスリットに流動状態の粘着剤を供給する工程及び前記スリットの出口に、実質的に無加圧の状態で前記不織布製通気フィルターの片面を接触させながら搬送する工程により、該片面に存在する構成繊維表面にのみ粘着剤を付与することを特徴とする不織布製通気フィルターへの粘着剤の塗布方法に関するものである。
【０００７】
本発明で用いる不織布製通気フィルターは、構成繊維が集積されてなり、構成繊維相互間に間隙が形成されてなるものである。この間隙を空気が通過すると共に、塵埃等がこの間隙で捕集されるのである。構成繊維としては、従来公知の短繊維等が用いられ、たとえば、ポリエステル短繊維、レーヨン短繊維、ポリビニルアルコール系短繊維、ポリオレフィン系短繊維等が単独で又は混合して用いられる。特に、構成繊維としては、ポリエステル短繊維を主体として用いるのが好ましい。ポリエステル短繊維は耐候性に優れていると共に、変色しにくいからである。また、構成繊維相互間の交点も、従来公知の接着剤で接着されており、たとえば、アクリル系接着剤、ゴム系接着剤又はポリオレフィン系接着剤等で接着されている。この接着剤中には、難燃剤を含有させておくのが好ましい。不織布製通気フィルターはレンジフード等の吸気口にも使用されるため、難燃性である方が火災の危険を防止しうる。なお、具体的には、接着剤としてアクリル系接着剤を用い、このアクリル系接着剤中にリン系難燃剤を含有させておくのが好ましい。
【０００８】
不織布製通気フィルターの目付は２０ｇ／ｍ2〜３００ｇ／ｍ2程度のものである。また、不織布製通気フィルターは比較的粗目のものである。
【０００９】
本発明で用いるダイ塗布装置も公知のものであり、スリットが設けられたダイヘッドと、粘着剤を収納するタンクと、ダイヘッドとタンクとを繋ぐ管とを具えたものである。一般的に、粘着剤はタンク内で加熱し軟化又は溶融させて流動状態にする。そして、ポンプを用いるか又は加圧して、管を通してダイヘッドのスリットに流動状態の粘着剤を供給する。ポンプの回転数や加圧時の圧力は、流動状態の粘着剤がスリットの出口から激しく吐出しない程度に調整するのが好ましい。スリットに供給された粘着剤は、スリットの出口まで至る。スリットの幅は、０．１〜０．５ｍｍ程度であるのが好ましい。スリットの幅が広すぎると、スリットの出口に至った粘着剤が流れ落ちてしまうからである。また、スリットの幅が狭すぎると、スリットの出口に至った粘着剤を不織布製通気フィルターの構成繊維に付与しにくくなる。
【００１０】
本発明で用いる粘着剤としては、従来公知のものを採用しうるが、特にホットメルト粘着剤を採用するのが好ましい。ホットメルト粘着剤は、加熱すると軟化又は溶融して流動状態となるもので、冷却して固化したときに粘着機能を発揮するものである。ホットメルト接着剤を流動状態としたときの粘度は任意であるが、８００ｍＰａ・ｓ以上であるのが好ましい。粘度が低すぎると、スリットの出口に至った粘着剤が流れ落ちてしまうからである。ホットメルト粘着剤は、一般的に、ポリオレフィン系樹脂とアクリル系ゴム等のエラストマーとよりなるもので、必要に応じて粘着付与剤や軟化剤等が添加されてなるものである。これらの各成分の量を調整することにより、流動状態となったときに適当な粘度とすることができ、また適当な貼着力とすることができる。さらに、不織布製通気性フィルターの貼着替えのときに、粘着剤が換気口等の被貼着体に残りにくくすることができる。
【００１１】
本発明の特徴は、図１に示すように、ダイヘッド１のスリット２の出口に、実質的に無加圧の状態で不織布製通気フィルター３の片面（裏面）を接触させながら搬送（図１中の矢印方向に搬送）する点にある。スリット２中には、流動状態の粘着剤４が供給されたおり、スリット２の出口に至っている。このとき、不織布製通気フィルター３の片面が無加圧の状態で、スリット２の出口と接触すると、スリット２の出口に至った粘着剤は、不織布製通気フィルター２の片面に存在する構成繊維のみに付与され、構成繊維相互間の間隙には付与されない。すなわち、スリット２の出口に至った粘着剤と接触した片面に存在する構成繊維のみに、粘着剤が付与されるのである。実質的に加圧した状態でスリット２の出口に押し付けると、不織布製通気フィルターの内部に存在する構成繊維が片面（裏面）に露出して当該構成繊維にも粘着剤が付与されるため、加圧を解除したときに間隙に粘着剤が付与されることになり、好ましくない。なお、不織布製通気フィルター２の搬送速度が遅すぎると、スリット２の出口に至った粘着剤の量が多くなって，構成繊維相互間の間隙に流れ落ちる恐れがある。したがって、不織布製通気フィルター２の搬送速度は適宜調整する必要がある。
【００１２】
粘着剤は、不織布製通気フィルターの片面全面に塗布されてもよいし、一部に塗布されてもよい。全面に塗布される場合、粘着剤の塗布量は、３〜３０ｇ／ｍ2程度である。また、一部に塗布される場合も、この程度の割合の塗布量でよい。図２は、本発明に係る方法で得られた粘着剤付き不織布製通気フィルターの顕微鏡写真であり、白っぽい塊が粘着剤である。かかる粘着剤付き不織布製通気フィルターは、住宅の換気口、レンジフードの吸気口、エアコンディショナーの吸気口、各種換気扇の排気口又は吸気口に貼着して使用される。
【発明の効果】
【００１３】
本発明に係る方法によれば、不織布製通気フィルターの片面（裏面）に存在する構成繊維表面のみに粘着剤が付与され、構成繊維相互間の間隙には粘着剤が付与されない。したがって、不織布製通気フィルターに粘着剤を塗布しても通気性が低下しにくく、換気口等に貼着して使用した場合に、濾過性能が長寿命化するという効果を奏する。
【図面の簡単な説明】
【００１４】
【図１】本発明の一例に係る方法を模式的に示した横断面図である。
【図２】本発明の一例に係る方法で得られた粘着剤付き不織布製通気フィルターの片面（裏面）の顕微鏡写真である。
【符号の説明】
【００１５】
１    ダイヘッド
２    スリット
３    不織布製通気フィルター
４    流動状態の粘着剤
【図１】
2019115868.tif 000003
【図２】
2019115868.tif 000004